(57)【要約】【課題】撮影済みの画像データを消去する際に、消去後の撮影可能枚数を撮影者に提示できるデジタルカメラを提供する。【解決手段】画像消去モードにおいて、ＣＰＵ８２は記録画質の現在の圧縮率設定または現在の撮影画素数設定から、新たに撮影した際の画像データサイズ（記録画像容量Ｘ）を見積る演算を行なう。次いで、ＣＰＵ８２は記録媒体の残容量Ｒ、および液晶モニタ３８上に表示された再生画像の表示画像容量Ｄを取得する。これらをもとに、記録媒体残容量Ｒから計算される現撮影可能枚数Ｔ、消去画像を消去した際に得られる容量増加分を加えた容量から計算される消去後撮影可能枚数Ｓが夫々算出される。この後、これら現撮影可能枚数Ｔおよび消去後撮影可能枚数Ｓが画像情報として消去画像とともに液晶モニタ３８に表示される。【選択図】  図５
2004193642.tif 000002
【特許請求の範囲】
【請求項１】
記録媒体に記録する画像の撮影画素数及び圧縮率のうちの少なくとも一方の設定が可能な画質設定手段と、該画質設定手段によって設定された現在の画質設定に基づいて撮影画像の容量を取得する第１の容量取得手段と、前記記録媒体の残容量と前記第１の容量取得手段によって取得した容量とに基づいて第１の撮影可能枚数を算出し、該第１の撮影可能枚数を表示手段に表示させる手段と、前記記録媒体に記録された画像を選択する画像選択手段と、該画像選択手段にて選択された画像を表示する画像表示手段と、消去モード時に前記画像表示手段による画像表示中に該画像を消去する第１の消去指示入力があると、消去確認状態となり、該消去確認状態中に第２の消去指示入力があると、該画像を前記記録媒体から消去する画像消去手段とを有するデジタルカメラにおいて、
前記記録媒体の残容量に前記画像選択手段で選択された画像の容量を加えた容量を取得する第２の容量取得手段と、
前記第１及び第２の容量取得手段によって取得した各容量に基づいて第２の撮影可能枚数を算出する算出手段と、
前記消去モードでの消去確認状態時に前記第１の撮影可能枚数とともに、前記算出手段によって算出した第２の撮影可能枚数、または第１の撮影可能枚数と第２の撮影枚数との差分を前記表示手段に表示させる表示制御手段と、を備えたことを特徴とするデジタルカメラ。
【請求項２】
前記画像選択手段は、前記画像表示手段に表示する画像を順次コマ送りすることによって所望の画像を選択するもので、撮影日時順に画像を順次コマ送りする第１のコマ送りモードと、容量の大きい順に画像を順次コマ送りする第２のコマ送りモードとを有することを特徴とする請求項１に記載のデジタルカメラ。
【発明の詳細な説明】
【０００１】
【発明の属する技術分野】
本発明はデジタルカメラに係り、特に画像消去手段を備え、撮影された画像を記録媒体から消去できるデジタルカメラに関する。
【０００２】
【従来の技術】
従来のデジタルカメラでは、撮影時に記録媒体の撮影可能枚数（動画撮影においては録画可能時間など）を撮影者に知らせるため、記録媒体の空き容量をもとに撮影可能枚数を算出し、デジタルカメラに設けられた画像再生表示用の液晶モニタ（ＬＣＤ）やステータス表示部などに表示させている。これにより撮影者は、例えば記録媒体の空き容量が少なくなり撮影が困難となった場合に容易に知ることができ、この際には周知の如く、撮影済みの画像（画像データ）を記録媒体から消去して記録媒体の空き容量を増やせば、新たな撮影が可能となる（例えば特許文献１参照）。
【０００３】
【特許文献１】
特開平３−２６７８８１号公報
【０００４】
【発明が解決しようとする課題】
しかし、このようなデジタルカメラでは、画像データの消去によって当該空き容量をどの程度増やせるかは、実際に画像データを消去してみないとわからないという不具合があった。すなわち、例えば消去しようとする画像データの画質設定にノーマルモードやファインモードなどが混在していた場合には、実際に消去してみないと所望の撮影可能枚数が確保できるかどうか知ることができない。また、消去しようとする画像データが全てノーマルモードで撮影された画像とすると、ファインモード１枚の画像を撮影するために何枚分の画像データを消去する必要があるかが把握できない。
【０００５】
このように、画像データの消去によって増加する空き容量は、当該画像データの消去後でなければ知ることができないため、所望の空き容量を確保するためにはいくつかの画像データを消去しながら試行錯誤を行う必要があり、作業が煩雑となる欠点があった。
【０００６】
本発明はこのような事情に鑑みてなされたもので、撮影済みの画像データを消去する際に、消去後の撮影可能枚数を撮影者に提示できるデジタルカメラを提供することを目的とする。
【０００７】
【課題を解決する為の手段】
本発明は前記目的を達成する為に、記録媒体に記録する画像の撮影画素数及び圧縮率のうちの少なくとも一方の設定が可能な画質設定手段と、該画質設定手段によって設定された現在の画質設定に基づいて撮影画像の容量を取得する第１の容量取得手段と、前記記録媒体の残容量と前記第１の容量取得手段によって取得した容量とに基づいて第１の撮影可能枚数を算出し、該第１の撮影可能枚数を表示手段に表示させる手段と、前記記録媒体に記録された画像を選択する画像選択手段と、該画像選択手段にて選択された画像を表示する画像表示手段と、消去モード時に前記画像表示手段による画像表示中に該画像を消去する第１の消去指示入力があると、消去確認状態となり、該消去確認状態中に第２の消去指示入力があると、該画像を前記記録媒体から消去する画像消去手段とを有するデジタルカメラにおいて、前記記録媒体の残容量に前記画像選択手段で選択された画像の容量を加えた容量を取得する第２の容量取得手段と、前記第１及び第２の容量取得手段によって取得した各容量に基づいて第２の撮影可能枚数を算出する算出手段と、前記消去モードでの消去確認状態時に前記第１の撮影可能枚数とともに、前記算出手段によって算出した第２の撮影可能枚数、または第１の撮影可能枚数と第２の撮影枚数との差分を前記表示手段に表示させる表示制御手段と、を備えたことを特徴としている。
【０００８】
本発明によれば、消去モードにおいて、選択された画像の消去前の撮影可能枚数と消去後の撮影可能枚数を夫々表示させるか、または消去前の撮影可能枚数と消去後の撮影可能枚数の差分を表示させるので、撮影者は当該画像を消去することで増加する撮影可能枚数（純増枚数）を把握することができる。
【０００９】
また、請求項２に記載された本発明によれば、この画像選択手段は、画像表示手段に表示する画像を順次コマ送りすることによって所望の画像を選択するもので、撮影日時順に画像を順次コマ送りする第１のコマ送りモードと、容量の大きい順に画像を順次コマ送りする第２のコマ送りモードとを有するので、撮影者は所望の撮影可能枚数を得るために消去すべき画像を容易に選択でき、これにより少ない消去回数で効率よく撮影可能枚数を増加させることができる。
【００１０】
【発明の実施の形態】
以下、添付図面に従って本発明に係るデジタルカメラの好ましい実施の形態について詳説する。
【００１１】
図１は、本発明の実施の形態に係るデジタルカメラの一例を示す斜視図である。カメラ１０の本体１１前面には沈胴式の撮影レンズ１２、ファインダー窓１４、ストロボ調光センサ１６、セルフタイマーランプ１８およびマイク部２０などが設けられている。撮影レンズ１２の後方には撮像素子としてのＣＣＤイメージセンサ（図１中不図示、図３中符号６８として記載、以下、ＣＣＤという。）が配置され、該ＣＣＤ６８から読み出された画像信号は所定の信号処理を経てデジタル画像データに変換される。
【００１２】
カメラ１０の側面にはスピーカ２１、デジタル（ＵＳＢ）端子２２、音声／映像出力端子（ＶＩＤＥＯ  ＯＵＴ）２３および電源入力端子（例えば、ＤＣ  ＩＮ  ３Ｖ用の端子）２４などが設けられている。図１中符号２５はメモリカードスロットのカバー（カード蓋）である。
【００１３】
カメラ１０の上面にはシャッタボタン３０、モードダイヤル３２およびポップアップ式のストロボ発光装置３４などが設けられている。本体１１側面に設けられている符号３５は、ストロボポップアップボタンである。
【００１４】
モードダイヤル３２は連写、マニュアル撮影、オート撮影、シーンポジション、動画記録、ボイスレコーダなどの動作モードを選択するための操作手段である。
【００１５】
図２はカメラ１０の背面図である。同図に示すように、カメラ１０の背面にはファインダー３６、液晶モニタ（ＬＣＤ）３８、電源スイッチ４０、モード選択レバー４２、十字キー４４、ステータス表示部４６、表示ボタン５０、メニュー／ＯＫボタン５２、ＢＡＣＫボタン５４などが設けられている。
【００１６】
液晶モニタ３８は、カラー液晶ディスプレイで構成されており、ＣＣＤ６８を介して取り込まれる画像やメモリカード（図３中符号９４として記載）から読み出した再生画像が表示（一コマ再生／マルチ画面再生など）されるとともに、モード情報、電池残量警告、撮影日時、再生コマ番号などの各種情報も表示される。
【００１７】
モード選択レバー４２は、撮影モードと再生モードを選択的に切り換えるための操作手段である。モード選択レバー４２は電源スイッチ４０の外周に回動自在に支持され、撮影モード位置（上側停止位置）と再生モード位置（下側停止位置）の２つの位置で停止可能なレバースイッチで構成されている。
【００１８】
十字キー４４は上キー４４Ｕ、下キー４４Ｄ、左キー４４Ｌおよび右キー４４Ｒの４つのプッシュ式スイッチからなり、上下左右の４方向の指示を入力する操作部である。十字キー４４は、メニュー画面から項目を選択したり、各メニューから各種設定項目の選択を指示するボタンとして機能する。また、十字キー４４の上キー４４Ｕおよび下キー４４Ｄは撮影モード時のズームスイッチ或いは再生モード時の再生ズームスイッチなどとして機能し、右キー４４Ｒおよび左キー４４Ｌは再生モード時のコマ送り（順方向／逆方向送り）ボタンとして機能する。
【００１９】
これら４つのキーの内側には円形の窓部５６が形成され、この窓部５６にはステータス表示部４６が設けられている。ステータス表示部４６は、例えばドットマトリックス液晶で構成されており、ここには上下左右の各キー４４Ｕ、４４Ｄ、４４Ｌ、４４Ｒの機能およびモード状態を示す情報などが表示される。
【００２０】
表示ボタン５０は、液晶モニタ３８の表示をＯＮ／ＯＦＦ操作したり、再生方法（一コマ再生／マルチ画面再生）や再生中のコマ番号などのＯＳＤ（オンスクリーンディスプレイ）表示の表示／非表示を切り換えるための操作手段である。
【００２１】
メニュー／ＯＫボタン５２は、液晶モニタ３８の画面上にメニューを表示させる指令を行うためのメニューボタンとしての機能と、選択内容の確定および実行などを指令するＯＫボタンとしての機能とを兼備した操作キーである。撮影者は十字キー４４の上キー４Ｕ又は下キー４４Ｄを操作して、メニューから変更したい項目を選択し、左キー４４Ｌ又は右キー４４Ｒで設定内容を変更してからメニュー／ＯＫボタン５２で確定する。当該メニューには例えば記録画質（クオリティー）、撮影画素数、画像消去（画像消去モード）などのほか、日付設定、立ち上げ時の液晶モニタ３８のＯＮ／ＯＦＦ選択などの各種設定項目がある。このうち記録画質の設定項目では、撮影の目的に合わせて高画質（低圧縮率）の「ＦＩＮＥ」、標準画質の「ＮＯＲＭＡＬ」、高圧縮率の「ＢＡＳＩＣ」という三種類の画質（圧縮率）を設定することができる。また、撮影画素数（ピクセル）の設定項目では、２８３２×２１２８（６Ｍ）、２０４８×１５３６（３Ｍ）、１２８０×９６０（１Ｍ）、６４０×４８０（ＶＧＡ）の何れかの記録画素数を選択できる。なお、本実施の形態では記録画質および撮影画素数の両方の設定変更が可能な形態としているが、これら記録画質または撮影画素数のいずれか一方のみが設定可能な形態のデジタルカメラとしてもよい。
【００２２】
ＢＡＣＫボタン５４は、メニューから選んだ項目の取消（キャンセル）や一つ前の操作状態に戻る（ｕｎｄｏ）時などに使用される。なお、図２中符号６１はグリップ部、符号６２は電池カバー（電池蓋）である。
【００２３】
図３はカメラ１０のブロック図である。撮影レンズ１２は、ズームレンズで構成されているが、単焦点レンズを用いてもよい。撮影レンズ１２を通過した光は絞り６６にて光量が調節された後、ＣＣＤ６８に入射する。ＣＣＤ６８の受光面には多数のフォトセンサ（受光素子）が二次元的に配列されており、各フォトセンサに対応して赤（Ｒ）、緑（Ｇ）、青（Ｂ）の原色カラーフィルタが所定の配列構造（ベイヤー、Ｇストライプなど）で配置されている。また、ＣＣＤ６８は各フォトセンサの電荷蓄積時間（シャッタースピード）を制御する電子シャッター機能を有している。
【００２４】
撮影レンズ１２を介してＣＣＤ６８の受光面に結像された被写体像は、各フォトセンサによって入射光量に応じた量の信号電荷に変換される。各フォトセンサに蓄積された信号電荷は、ＣＣＤドライバ７０から与えられるパルスに基づいて信号電荷に応じた電圧信号（画像信号）として順次読み出される。ＣＣＤ６８から出力された画像信号はアナログ処理部７２に送られる。アナログ処理部７２はサンプリングホールド回路、色分離回路、ゲイン調整回路などの信号処理回路を含み、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。
【００２５】
アナログ処理部７２から出力された信号は、Ａ／Ｄ変換器７４によりデジタル信号に変換された後、内蔵バッファ７６およびバス８４を介して内蔵メモリを構成するＲＡＭ７８に格納される。ＣＣＤドライバ７０、アナログ処理部７２およびＡ／Ｄ変換器７４には、タイミングジェネレータ７７からタイミング信号が与えられ、このタイミング信号によって各回路の同期がとられている。
【００２６】
ＲＡＭ７８に記憶された画像データは信号処理部８０へ送られる。信号処理部８０は同時化回路、輝度・色差信号生成回路、ガンマ補正回路、シャープネス補正回路、コントラスト補正回路、ホワイトバランス補正回路、電子ズーム処理回路、トリミング処理回路などの画像信号処理回路および音声信号処理回路を含むデジタルシグナルプロセッサ（ＤＳＰ）で構成された信号処理手段であり、ＣＰＵ８２からのコマンドに従ってＲＡＭ７８を活用しながら画像信号および音声信号を処理する。信号処理部８０に入力された画像データは、輝度信号（Ｙ信号）および色差信号（Ｃｒ，Ｃｂ信号）に変換されるとともに、ガンマ補正などの所定の処理が施された後、ＲＡＭ７８に格納される。
【００２７】
撮影した画像を表示出力する場合、ＲＡＭ７８に格納された輝度・色差信号（ＹＣ信号と略記する）はバス８４を介してＶＲＡＭ８６に送られる。ＶＲＡＭ８６に記憶されたデータはエンコーダ８７に送られ、ここでキャラクタジェネレータ８８から供給される文字や記号のデータとともに表示用の所定方式の信号（例えば、ＮＴＳＣ方式のカラー複合映像信号）に変換される。エンコーダ８７の出力はＤ／Ａ変換器８９を介してアナログ信号に変換された後、液晶モニタ３８に出力される。こうして、当該画像データの画像内容が液晶モニタ３８の画面上に表示される。
【００２８】
ＣＣＤ６８から出力される画像信号によってＲＡＭ７８内の画像データが定期的に書き換えられ、その画像データから生成される映像信号が液晶モニタ３８に供給されることにより、ＣＣＤ６８を介して入力する画像がリアルタイムに液晶モニタ３８に表示される。撮影者は、液晶モニタ３８に映し出される画像（スルー画）、或いはファインダー３６によって撮影画角を確認できる。
【００２９】
モード選択レバー４２（図２参照）により撮影モードが選択され、シャッタボタン３０が押されると撮影開始指示（レリーズＯＮ）信号が発せられる。ＣＰＵ８２は、この指示信号の受入に応動して、記録用の画像データの取り込みを開始する。また、ＣＰＵ８２は圧縮伸張回路９０にコマンドを送り、これにより圧縮伸張回路９０はＲＡＭ７８上の画像データをＪＰＥＧその他の所定の形式に従って圧縮する。
【００３０】
圧縮された画像データは、カードインターフェース９２を介してメモリカード９４に記録される。本例のカメラ１０では、画像データなどを保存する手段として、例えばスマートメディア（Ｓｏｌｉｄ−Ｓｔａｔｅ  ＦｌｏｐｐｙＤｉｓｋＣａｒｄ）が適用される。なお、記録メディアの形態はこれに限定されず、例えばＰＣカード、コンパクトフラッシュ、ＸＤピクチャーカードなどでもよく、電子的、磁気的、若しくは光学的、またはこれらの組み合わせによる方式に従って読み書き可能な種々の媒体を用いることができる。
【００３１】
さて、モード選択レバー４２によって再生モードが選択されると、メモリカード９４に記録されている最終の画像データ、すなわち最後に記録した画像データが読み出される。メモリカード９４から読み出された画像データは、圧縮伸張回路９０によって伸張処理され、ＶＲＡＭ８６、エンコーダ８７、Ｄ／Ａ変換器８９を介して液晶モニタ３８に出力される。なお、キャラクタジェネレータ８８で生成されるデータ（図５に記載の現撮影可能枚数表示１５２および消去後撮影可能枚数表示１５４など）は画像信号に重畳されて液晶モニタ３８に表示される。
【００３２】
再生モードの一コマ再生時には、十字キー４４の左／右キー４４Ｌ、４４Ｒを操作することにより、順方向又は逆方向にコマ送り（画像送り）することができ、コマ送りされた次の画像データがメモリカード９４から読み出され、上記と同様にして画像が再生される。
【００３３】
ＣＰＵ８２は、所定のプログラムに従って本カメラシステムを制御する制御手段として機能するとともに、前述した記録画質の現在の圧縮率設定（「ＦＩＮＥ」、「ＮＯＲＭＡＬ」、「ＢＡＳＩＣ」）および現在の撮影画素数設定（６Ｍ、３Ｍ、１Ｍ、ＶＧＡ）から、新たに撮影する画像のデータサイズ（記録画像容量Ｘ）を見積る演算を行なう。すなわち、撮影モードにおいて撮影者に予め指定された圧縮率設定および撮影画素設定に基づいて、新たに撮影した際の画像データのデータサイズを予測する演算が行われ、これを記録画像容量Ｘとして取得する。なお、ＣＰＵ８２はこのほかにも後述する記録媒体の残容量（空き容量）Ｒの演算や液晶モニタ３８上に表示された再生画像の表示画像容量Ｄの演算など、各種演算を実施する演算手段として機能するほか、電源スイッチ４０やシャッタボタン３０、その他、操作部１０５から受入する入力信号に基づいて対応する回路の動作制御、レンズ駆動制御、撮影動作制御、ストロボ発光制御、画像信号処理制御、画像データの記録／再生制御、液晶モニタ３８における表示制御なども行う。
【００３４】
一方、ＲＡＭ７８は、プログラムの展開領域およびＣＰＵ８２の演算作業用領域として利用されるとともに、画像データ、音声データのほか、記録媒体残容量Ｒ、表示画像容量Ｄ、記録画像容量Ｘの一時記憶領域としても利用される。
【００３５】
バス８４を介してＣＰＵ８２と接続されたＲＯＭ１０８には、ＣＰＵ８２が実行するプログラムおよび制御に必要な各種データなどが格納されている。また、ＣＰＵ８２に接続されているＥＥＰＲＯＭ（不揮発性メモリ）１１０には、制御に必要なデータや各種設定情報などが予め格納されている。
【００３６】
カメラ１０の電源は、バッテリ１２６又は電源入力端子２４（図１参照）に接続される図示せぬＡＣパワーアダプターなどの外部電源を用いることができる。バッテリ１２６などから供給される電力は、ＤＣ／ＤＣコンバータを含む電源回路１２８によって所要の電圧に変換された後、各回路ブロックに供給される。
【００３７】
次に、上記の如く構成されたカメラ１０の画像消去モードについて図１〜図４を用いて説明する。図４はカメラ１０の画像消去モード時における消去動作を示すフローチャートである。カメラ１０のＣＰＵ８２は、はじめにモード判別を行い（ステップＳ２１０）、モード切換レバー４２によって「再生モード」が選択されているか否かを判断する。「再生モード」が選択されていない場合、すなわち「撮影モード」が選択されている場合には、カメラ１０を「撮影モード」で使用できるようにするための内部処理を行い（ステップＳ２１２）、撮影可能な状態にセットする。
【００３８】
その一方、ステップＳ２１０で「再生モード」が選択されている場合には、メモリカード９４（図３参照）から最終の画像データを読み出して画像再生処理を行い（ステップＳ２１４）、液晶モニタ３８に再生画像を一コマ表示させる（ステップＳ２１６）。
【００３９】
この一コマ再生時において、十字キー４４（図２参照）の左キー４４Ｌは逆方向コマ送り（コマ戻し）の指示入力キーとして機能し、右キー４４Ｒは順方向コマ送りの指示入力キーとし機能する。撮影者は左キー４４Ｌ又は右キー４４Ｒを操作することにより再生対象の画像を選択することが可能である。ＣＰＵ８２では十字キー４４からの指令を監視し、コマ送りの指示が入力されたか否かを判断する（ステップＳ２１８）。コマ送りの指示が入力された場合には、その指示に従って前コマ又は次コマの画像データをメモリカード９４から読み出すとともに（ステップＳ２１９）、当該読み出した画像データの再生処理を実行して液晶モニタ３８の表示画像を更新する（ステップＳ２１４〜Ｓ２１６）。
【００４０】
ＣＰＵ８２は、ステップＳ２１８でコマ送りの指令が入力されていないと判断した時にはステップＳ２２０に進み、画像消去モードが選択されたか否かを判定する。ステップＳ２２０で「画像消去モード」に移行されていなければステップＳ２２１に進み、再生モードの終了操作が行われたか否かを判別する。ステップＳ２２１において再生モードの終了操作が行われていなければステップＳ２１６に戻り、継続して画像再生状態となる。なお、ステップＳ２２１で再生モードの終了操作が行われた場合には、当該再生モードを終了する。
【００４１】
一方、ステップＳ２２０で画像消去モードに移行した場合（メニュー／ＯＫボタン５２が押された場合）、はじめにＣＰＵ８２は記録画質の現在の圧縮率設定および撮影画素数設定から、新たに撮影する画像のデータサイズ（記録画像容量Ｘ）を見積る演算を行ない、これを記録画像容量Ｘとして取得する（ステップＳ２２２）。次いで、ＣＰＵ８２は記録媒体の残容量Ｒを取得する（ステップＳ２２４）。さらにＣＰＵ８２は、撮影者によって選択された画像、すなわち液晶モニタ３８に表示されている画像の容量Ｄを取得する（ステップＳ２２６）。
【００４２】
ステップＳ２２８では、ＣＰＵ８２によって前記ステップＳ２２２，２２４，２２６で求めた記録画像容量Ｘ、記録媒体残容量Ｒ、表示画像容量Ｄをもとに、消去前の現撮影可能枚数Ｔおよび、消去後の撮影可能枚数Ｓが算出される。これらは、
【００４３】
【数１】
現撮影可能枚数：Ｔ＝Ｒ÷Ｘ
【００４４】
【数２】
消去後撮影可能枚数：Ｓ＝（Ｒ＋  Ｄ）÷Ｘ
として夫々求められる。すなわち、記録媒体残容量Ｒを記録画像容量Ｘにて除して得られる現撮影可能枚数Ｔと（数１）、記録媒体残容量Ｒに表示画像容量Ｄ、つまり画像を消去した場合の容量増加分を加えた容量を、記録画像容量Ｘにて除して算出される消去後撮影可能枚数Ｓと（数２）、が夫々算出される。なお、この際の算出結果における小数点以下の端数は切り捨てされる。
【００４５】
この後、現撮影可能枚数Ｔおよび消去後撮影可能枚数Ｓが画像情報として液晶モニタ３８に表示される（ステップＳ２３０）。図５は、この消去画像および消去確認メッセージを示す液晶モニタ３８の画面例である。同図に示すように、液晶モニタ３８にはメモリカード９４から読み出された画像（消去画像）に加えて、画面の中央には「画像消去ＯＫ？」という消去確認メッセージ１５０、画面の右側には現撮影可能枚数Ｔを示す現撮影可能枚数表示１５２および、消去後の撮影可能枚数Ｓを示す消去後撮影可能枚数表示１５４がキャラクタジェネレータ８８（図３参照）によって再生画像に重畳されて表示されている。ここで、同図を説明すると、現撮影可能枚数表示１５２に「１０枚」、消去後撮影可能枚数表示１５４には「１３枚」と表示されることで、液晶モニタ３８に表示されている画像を消去すれば撮影可能枚数が３枚増加する旨の表示がなされている。なお、同画面の左上の符号１５６は現在のモード（画像消去モード）を示すモード表示である。また、このときの液晶パネル３８の表示構成として、同図に示すように「この表示画像はＦＩＮＥ  ＭＯＤＥで撮影されています。」といった記録画質の情報１５８を加えても良い。
【００４６】
この際に、撮影者は液晶モニタ３８に表示される画像をコマ送り（順方向／逆方向送り）して消去画像を選択することもできる。図４に示すステップＳ２３２において、ＣＰＵ８２では十字キー４４からの指令を監視し、コマ送りの指示が入力されたか否かを判断する。右キー４４Ｒおよび左キー４４Ｌの操作によるコマ送りの指示が入力された場合には、その指示に従って前コマ又は次コマの画像データをメモリカード９４から読み出すとともに（ステップＳ２３４）、前記ステップ２２６まで戻り、当該読み出した画像データの再生処理および演算処理を実行し、液晶モニタ３８の表示画像を更新して、新たな消去画像、消去確認メッセージ、現撮影可能枚数Ｔ、消去後撮影可能枚数Ｓを表示する（ステップＳ２２６〜Ｓ２３０）。
【００４７】
前記ステップ２３２にてキー操作入力されていないと判断した場合には、ステップＳ２３６に進み、メニュー／ＯＫボタン５２の操作入力を受け付ける。このとき、メニュー／ＯＫボタン５２が操作されると、ＣＰＵ８２は液晶モニタ３８に表示された画像の画像データ（選択された画像データ）をメモリカード９４から消去する（ステップＳ２３８）。次いで、前記ステップＳ２２４に戻り、消去後の記録媒体残容量Ｒ′をあらためて取得した後、当該消去画像の前コマ又は次コマの画像データの演算処理を実行し、液晶モニタ３８の表示画像を更新する（ステップＳ２２６〜Ｓ２３０）。
【００４８】
前記ステップＳ２３６にてメニュー／ＯＫボタン５２が操作されていないと判断した場合にはステップＳ２４０に進み、画像消去モードの終了操作が行われたか否かを判別する。ステップＳ２４０において画像消去モードの終了操作が行われていなければ前記ステップＳ２３２に戻り、画像消去モードが継続され、消去すべき画像の選択をやり直すことができる。ステップＳ２４０でモードの終了操作が行われた場合には、画像消去モードを終了し、前記ステップＳ２１０まで戻る。
【００４９】
なお、上述した一連の画像消去モードにおいて、撮影者によってＢＡＣＫボタン５４が操作されると画像消去モードがキャンセルされ、前記ステップＳ２１４に戻る。
【００５０】
このように、上述した本実施の形態によれば、十字キー４４で選択された画像データの容量を算出し、この容量を示す情報、すなわち現撮影可能枚数Ｔ、消去後撮影可能枚数Ｓを選択された画像とともに液晶モニタ３８に表示させるので、撮影者は当該選択された画像を消去することなく、消去により増加する容量すなわち純増枚数を把握することができる。これにより撮影者は、所望の撮影可能枚数を得るために消去すべき画像の選択が容易に行える。また、消去前の段階で消去後の純増枚数を知ることができるので、この純増枚数を参考にしながら消去する画像を検討できる。ここで、消去後撮影可能枚数Ｓから現撮影可能枚数Ｔを差分した枚数、すなわち純増枚数を液晶モニタ３８に表示させる構成としてもよい。
【００５１】
なお、本実施の形態に示すように、容量を示す情報として現撮影可能枚数Ｔおよび消去後撮影可能枚数Ｓの表示が液晶モニタ３８に表示される構成としたが、これに限らず、たとえばステータス表示部４６に表示される構成としても構わない。また、さらに別の態様として、現撮影可能枚数Ｔや消去後撮影可能枚数Ｓに換えて記録画像容量Ｘ、記録媒体残容量Ｒ、表示画像容量Ｄを液晶モニタ３８に表示する構成としても構わないが、撮影者による直感的な撮影可能枚数の把握を容易にするため、あくまで枚数表示とすることが好ましい。
【００５２】
ここで、画像消去モード時における画像消去動作の態様は図５で説明した一コマ再生時に限定されず、例えばマルチ画面再生（サムネイル表示）中に容量を示す情報を表示させる態様も可能である。詳しく説明すると、まず再生モード時において表示ボタン５０（図２参照）を操作して液晶モニタ３８をマルチ画面再生とする。これによりメモリカード９４から複数の画像データが読み出され、図６に示すように液晶モニタ３８にサムネイル画像が表示される。次いでメニュー／ＯＫボタン５２を操作して画像消去モードに移行させると、液晶モニタ３８のサムネイル画像には消去画像を選択するための画像選択フレーム１４０が表示される。この画像選択フレーム１４０は、十字キー４４（図２参照）の上キー４４Ｕ、下キー４４Ｄ、左キー４４Ｌおよび右キー４４Ｒを操作して上下左右の４方向のサムネイルに移動でき、消去したい画像のサムネイル画像を選択できる。この画像選択フレーム１４０によるサムネイル画像の選択に伴い、ＣＰＵ８２では前記ステップ２２６〜２３０（図４参照）の演算が行なわれ、画像選択フレーム１４０にて選択された現撮影可能枚数Ｔを示す現撮影可能枚数表示１６０、消去後撮影可能枚数Ｓを示す消去後撮影可能枚数１６２などの情報が表示される。このときメニュー／ＯＫボタン５２が操作されると、画像選択フレーム１４０にて選択されたサムネイル画像の画像データがメモリカード９４から消去される。
【００５３】
このような態様においても、撮影者は当該選択された画像を消去すること無く純増枚数を把握することができる。なお、この後の動作については前述した一コマ画像再生における手順と同様であるので、その説明を省略する。
【００５４】
ここで、上述した画像消去モードでの一コマ再生／マルチ画面再生において、選択画像の表示順番の構成を一般的な撮影日時順の表示構成とする日付順表示モードに加えて、各画像の容量（画像データサイズ）順の表示構成、すなわち容量順表示モードとすれば、大きいサイズの画像から順次消去対象を選択できる。これにより撮影者は、消去すべき画像を容易に選択でき、少ない消去回数で効率よく所望の撮影可能枚数を得ることができる。
【００５５】
なお、純増枚数の目安について補足すると、例えば高画質（低圧縮率）の「ＦＩＮＥ」ＭＯＤＥで撮影された容量８００ｋＢ程度の画像を消去する場合、撮影可能枚数は、高圧縮率の「ＢＡＳＩＣ」（容量２００ｋＢ程度）の画像であれば３〜４枚程増加する。
【００５６】
前述した実施の形態に示したデジタルカメラの構成は、前記実施の形態に限定されるものではない。例えば、前記ステップＳ２２２における記録画像容量Ｘは、記録画質の現在の圧縮率設定および撮影画素数設定から算出する構成としたが、これに限らず、選択画像の記録画質と同じ設定が維持されてもよいし、一律に予め定めた固定の圧縮率（例えば、「ＮＯＲＭＡＬ」）としてもよい。予め圧縮率設定や撮影画素数設定に基づいて記録画像容量Ｘが設定され、ＲＯＭ１０８やＥＥＰＲＯＭ１１０などに記憶された構成としてもよい。
【００５７】
また、上記実施の形態においては静止画を消去する場合を例として用いて説明したが、静止画のみならず動画の消去にも本発明を適用できる。さらに、本実施の形態ではカメラ本体に着脱可能なメモリカードから画像が消去される構成としているが、カメラ１０に記録媒体（内蔵メモリ）が内蔵されたデジタルカメラの場合には、この内蔵メモリから記憶された画像データを消去する構成としてもよいことは言うまでもない。
【００５８】
なお、本発明の適用範囲はデジタルカメラに限定されず、例えばビデオカメラ、撮影機能付き携帯電話機、パソコン、ＰＤＡなど、画像データを取り扱う様々な機器に広く適用できる。
【００５９】
【発明の効果】
以上、説明したように本発明に係るデジタルカメラによれば、画像選択操作手段で選択された画像データの容量を算出し、この容量を示す情報を選択された画像とともに画像表示手段に表示させるので、撮影者は当該選択された画像を消去することで増加する容量を把握することができる。
【図面の簡単な説明】
【図１】本発明の実施の形態に係るデジタルカメラの一例を示す斜視図
【図２】本発明の実施の形態に係るデジタルカメラの一例を示す背面図
【図３】本発明の実施の形態に係るデジタルカメラの内部構成を示すブロック図
【図４】本発明の実施の形態に係るデジタルカメラの動作を示すフローチャート
【図５】本発明の実施の形態に係るデジタルカメラの画像消去モード時に液晶モニタ上に表示される画像の一例を示す図
【図６】本発明の実施の形態に係るデジタルカメラの画像消去モード時に、液晶モニタ上に表示される画像の別の一例を示す図
【符号の説明】
１０…カメラ、３８…液晶モニタ（ＬＣＤ）、４４…十字キー、５２…メニュー／ＯＫボタン、７８…ＲＡＭ、８２…ＣＰＵ、９４…メモリカード（記録媒体）、１５２，１６０…現撮影可能枚数表示、１５４，１６０…消去後撮影可能枚数表示
【図１】
2004193642.tif 000003
【図２】
2004193642.tif 000004
【図３】
2004193642.tif 000005
【図４】
2004193642.tif 000006
【図５】
2004193642.tif 000007
【図６】
2004193642.tif 000008